【事件の表示】
　平成１１年特許願第１７６４３４号「パチンコ機」拒絶査定不服審判事件〔平成１２年　１月２５日出願公開、特開２０００−　２４２７３〕について、次のとおり審決する。
【結　論】
　本件審判の請求は、成り立たない。
【理　由】
１　手続の経緯 ・本願発明
　本願は、平成４年６月２３日に出願した特願平４−１８７３１４号の一部を平成１１年６月２３日に新たな特許出願としたものであって、平成１６年３月１５日付で拒絶査定がされ、これに対し、同年４月２２日に拒絶査定不服審判請求がなされるとともに、同年５月２４日付で手続補正がなされたものである。その請求項１に係る発明は、特許請求の範囲の請求項１に記載された次のとおりのものと認める。（以下「本願発明」という。） 
「前面枠の背面に設けられるリヤプレートに遊技盤を着脱可能に収めてなるパチンコ機において、
　前記遊技盤の前面に配置するガイドレールによって囲まれて該遊技盤の中央部に設けられる遊技部には可変表示装置、変動入賞装置を設置する一方、該遊技盤の背面側には前記可変表示装置及び変動入賞装置を避けて前記遊技部の背面に対向するように入賞球集合カバーを添設し、また該入賞球集合カバーを避けた前記遊技盤の背面の左側部分には回路ボックス取付部材を取付け、該回路ボックス取付部材を介してパチンコ遊技に関する制御を行う縦長に形成される遊技制御回路基板を収める回路ボックスを取付けると共に、前記縦長の遊技制御回路基板には前記可変表示装置、変動入賞装置に向き合う縦長の内側縁部に沿って縦にコネクタ群を列設し、該コネクタ群を介して相互に向い合せになる前記遊技制御回路基板と前記可変表示装置、変動入賞装置とを接離可能に接続してなることを特徴としたパチンコ機。」
　
２　引用刊行物記載の発明
　これに対して、原査定の拒絶の理由に引用された「特開平３−１８２２８１号公報 」（以下「引用例」という。）には、次の事項が記載されている。
　
（記載事項ａ）
「パチンコ機ｌは第１図に示すごとく、額縁状の前面枠２へ球供給皿３等を設けると共に、前面枠２の窓部を後方から塞ぐように遊技盤４を設けてある。
　遊技盤４は表面にガイトレール５で囲まれた遊技部６を有し、・・・、可変表示器８を有する可変表示装置９をほぼ中央部に設け、例えば可変表示装置９の適宜下方には変動入賞装置１０を、・・・夫々設けてある。」（第２頁左下欄第１９行目〜同頁右下欄第１０行目）
　
（記載事項ｂ）
「また、例えばパチンコ機１の裏面上部には・・・、遊技盤４の裏側に配設した入賞球集合樋４ａの背面に第２電気的制御装置４８をそれぞれ配設し、接続線４９によって第１電気的制御装置４７と第２電気的制御装置４８を機能的に接続することで、各種の検出器や可変表示装置９等の電気的遊技機器を制御する電気的制御装置となる。即ち、恒久的に使用可能な第１電気的制御装置４７はパチンコ機１の本体側に、遊技盤４を交換する度に交換を要する第２電気的制御装置４８は遊技盤側に取り付ける。」（第３頁右下欄第１５行目〜第４頁左上欄第８行目）
　
（記載事項ｃ）
「第２電気的制御装置４８は各種電気部品を有する第２制御基板６２を面状の上蓋部材６３及び底蓋部材６４によって形成される第２収納ケース６５内に収納したもので、・・・」（第４頁右上欄第１９行目〜同頁左下欄第２行目）
　
（記載事項ｄ）
「また、例えば底蓋部材６４の側面適所に設けた取付片６４ａには係止部材６７を設けてあり、上記遊技盤４の裏面側に設けた入賞球集合樋４ａの背面に係止部材６７と係脱自在な係止部を設けることによって、第２電気的制御装置４８を遊技盤４の入賞球集合樋４ａへ着脱自在な状態で取り付けることかできる（第７図）。
　上記第２制御基板６２には・・・、各電気的遊技機器と接続するためのケーブルの端部に設けられたコネクタと係脱可能なコネクタピン７３・・・を整列配置してなる接続領域７４等を設け、・・・。」（第４頁左下欄第１７行目〜同頁右下欄第１５行目）
　
（記載事項ｅ）
「また、コネクタピン７３を多数配列してなる接続領域７４の配設位置は第２制御基板６２に限らず、例えば第１３図のように第２電気的制御装置４８の上蓋部材６３の背面に接続領域７４を直接設け、第２制御基板６２を第２収納ケース６５内へ完全に収納するようにしても良い。
　上記のように構成した第２電気的制御装置４８は、遊技盤４の裏面側に設けられた入賞球集合樋４ａの背面へ着脱自在に取り付けられ、接続線７５を介して遊技盤４の各種電気的遊技機器と接続される（第１３図）。
　すなわち、第２電気的制御装置４８を遊技盤４の裏面側に設けた入賞球集合樋４ａの背面へ取り付けることによって、変動入賞装置１０等の電気的遊技機器と第２電気的制御装置４８を接続する接続線７５の長さを短くでき、接続線７５が煩雑になって接続線７５同士が絡み合うのを防ぐ。」（第５頁左上欄第１２行目〜同頁右上欄第８行目）
　
　上記記載事項によると、引用例には、
「前面枠２の窓部を後方から塞ぐように遊技盤４を設けてなるパチンコ機１において、
　前記遊技盤４の表面に配置するガイドレール５によって囲まれた該遊技盤４の中央部に設けられる遊技部６には可変表示装置９、変動入賞装置１０を設置する一方、該遊技盤４の裏側には入賞球集合樋４ａを配設し、また該入賞球集合樋４ａの背面に、第２制御基板６２を第２収納ケース６５内に収納して遊技盤４を交換する度に交換を要する第２電気的制御装置４８を取付けると共に、前記第２制御基板には複数のコネクタピン７３を整列配置し、該コネクタピン７３を介して前記第２制御基板６２と変動入賞装置１０等の電気的遊技機器とを接続してなるパチンコ機。」
の発明（以下、「引用発明」という。）が記載されていると認められる。
　
３　対比
　本願発明と引用発明を対比する。
　引用発明の「遊技盤の表面に配置するガイドレール５」は本願発明の「遊技盤の前面に配置するガイドレール」に、以下同様に、「入賞球集合樋４ａ」は「入賞球集合カバー」に、「コネクタピン７３を整列配置」は「コネクタ群を列設」に、「複数のコネクタピン７３」は「コネクタ群」に相当する。
　また、引用発明の「遊技盤４」は、「遊技盤４を交換する」（記載事項ｂ）ことから、前面枠の背面に着脱可能にしてあるといえる。
　さらに、引用発明の「第２制御基板６２を第２収納ケース６５内に収納して遊技盤４を交換する度に交換を要する第２電気的制御装置４８」は、接続線７５を介して遊技盤４の各種電気的遊技機器と接続され（第１３図）ること（記載事項ｅ）、変動入賞装置１０等の電気的遊技機器と接続されること（記載事項ｅ）、および、特定の遊技盤にしか使用できない論理領域７０等を有し交換する遊技盤４に応じて作成すること（第５頁右下欄１〜６行目）から、本願発明の「遊技制御回路基板」を収める「回路ボックス」に相当するといえ、そのうえ、特に第１３図より、可変表示装置９も接続線７５により第２電気的制御装置４に接続されていると解するのが相当であるから、遊技制御回路基板と可変表示装置が接続してなるものといえる。
　そして、引用発明もコネクタを介して接続されるものであるので、接離可能に接続してなるものといえる。
　したがって、両者は
「前面枠の背面に遊技盤を着脱可能にしてなるパチンコ機において、
　前記遊技盤の前面に配置するガイドレールによって囲まれて該遊技盤の中央部に設けられる遊技部には可変表示装置、変動入賞装置を設置する一方、該遊技盤の背面側には前記遊技部の背面に対向するように入賞球集合カバーを添設し、遊技盤の背面側に、遊技制御回路基板を収める回路ボックスを取り付けると共に、前記遊技制御回路基板にはコネクタ群を列設し、該コネクタ群を介して遊技制御回路基板と可変表示装置、変動入賞装置との接離可能に接続してなるパチンコ機。」
の点で一致し、以下の点で相違する。
　
＜相違点１＞
　前面枠の背面に遊技盤を着脱可能にするために、本願発明ではリヤプレートに遊技盤を収める構成であるのに対し、引用発明では、着脱を可能にする具体的構成は明らかでない点。
　
＜相違点２＞
　遊技部の背面に対向するように添設される入賞球集合カバーは、本願発明では、可変表示装置および変動入賞装置を避けて添設されるのに対し、引用発明では、可変表示装置および変動入賞装置との関係が明確に記載されていない点。
　
＜相違点３＞
　遊技盤の背面側に取り付ける遊技制御回路基板を収める回路ボックスは、本願発明では、入賞球集合カバーを避けた遊技盤の背面の左側部分に取り付けられる回路ボックス取付部材を介して取り付けるのに対し、引用発明では、入賞球集合カバーの背面に取り付けられている点。
　
＜相違点４＞
　本願発明では、遊技制御回路基板が縦長に形成され、可変表示装置、変動入賞装置に向き合う縦長の内側縁部に沿って縦にコネクタ群を列設し、遊技制御回路基板と可変表示装置、変動入賞装置とが該コネクタ群を介して相互に向い合せになるようにするのに対し、引用発明では、遊技制御回路基板のコネクタ群と可変表示装置、変動装置の位置関係が明確に記載されていない点。
　
４　当審の判断
　上記相違点について検討する。
　
＜相違点１について＞
　リヤプレートに遊技盤を収める構成は、周知技術であり（例えば、実願平１−１４６５０２号（実開平３−８５０８０号）のマイクロフィルムに記載される枠体３が本願発明のリヤプレートに相当）、その採用に格別の困難性は認められない。
　
＜相違点２について＞
  例えば、引用例の第１９図および第２０図には、入賞球集合樋４ａの可変表示装置に当たる部分に開口が施されており、変動入賞装置についても同様にして構成することにより、入賞球集合カバーが可変表示装置および変動入賞装置を避けて添設する構成とすることは、当業者が適宜なし得る設計的事項である。
　
＜相違点３について＞
　引用例の第２頁左上欄第１３〜１４行目には、「遊技盤へ直接電気的制御装置（本願発明の遊技制御回路基板に相当）を取り付けることが考えられる」と記載され、また、入賞球集合カバーを避けた遊技盤の背面の左側部分に取り付けられる回路ボックス取付部材を介して取り付ける点は、周知の技術（例えば、実願昭５７−５７８６２号（実開昭５８−１６００８６号）のマイクロフィルムに記載される取付部材４１が本願発明の回路ボックス取付部材に相当）であるから、引用発明に周知技術を採用して、相違点１に係る本願発明の構成に想到することに格別の困難性は認められない。
　
＜相違点４について＞
　引用例の第２頁左上欄第２０行目〜右上欄第４行目の「遊技盤に設けられた電気的遊技機器と電気的制御装置の配線位置とが離れていると、両者間を接続する接続線が長くなり、コネクタの抜けや信号線路の断線といった故障の危険性が増大する」との記載、引用例の第５頁右上欄第３〜８行目の「第２電気制御装置４８を遊技盤４の裏面側に設けた入賞球集合樋４ａの背面へ取り付けることによって、変動入賞装置１０等の電気的遊技機器と第２電気的制御装置４８を接続する接続線７５の長さを短くでき、接続線７５が煩雑になって接続線７５同士が絡み合うのを防ぐ。」との記載および第１３図から、接続線の長さを短くする技術的意義が開示されており、また、コネクタ群を縁部に沿って列設することは周知技術であるから（例えば、引用例の第１１図の複数のコネクタピン７３、または、実願平１−１４６５０２号（実開平３−８５０８０号）のマイクロフィルムの複数のコネクター２８が本願発明の縁部に沿って列設されるコネクタ群に相当）、遊技回路制御基板と、可変表示装置および変動入賞装置を左右に併設した場合に、可変表示装置、変動入賞装置に向き合う縦長の内側縁部に沿って縦にコネクタ群を列設し、遊技制御回路基板と可変表示装置、変動入賞装置とが該コネクタ群を介して相互に向い合せになるようにすることに格別の困難性は認められない。
　また、遊技制御回路基板を縦長にする点は、当業者が適宜なし得る設計的事項である。
　
　そして、本願発明の効果も、引用発明の効果から普通に予測できる範囲のものであって、格別なものがあるとは認められないから、本願発明は、引用発明に基づき当業者が容易に発明をすることができたものである。
　
５　むすび
　したがって、本願発明は、引用例に記載された発明および周知技術に基づいて当業者が容易に発明をすることができたものであるから、特許法第２９条第２項の規定により特許を受けることができない。
　よって、結論のとおり審決する。